(57)【要約】【課題】アンテナの利得が低下するのを低減する携帯端末を提供する。【解決手段】携帯端末は、筐体と、筐体の内部に配置されるメインアンテナ３０と、筐体の内部に配置される導電部材４０と、筐体の内部に配置される基準電位部４１と、メインアンテナ３０を用いて通信を行う通信部３１と、筐体の内部の温度が所定の温度以上である場合に、導電部材４０と基準電位部４１とを電気的に接続し、筐体の内部の温度が所定の温度未満である場合に、導電部材４０と基準電位部４１とを電気的に切断する切替部３４１と、を備える。【選択図】図２
2012074870.tif 000002
【特許請求の範囲】
【請求項１】
筐体と、
前記筐体の内部に配置されるアンテナと、
前記筐体の内部に配置される導電部材と、
前記筐体の内部に配置される基準電位部と、
前記アンテナを用いて通信を行う通信部と、
前記筐体の内部の温度が所定の温度以上である場合に、前記導電部材と前記基準電位部とを電気的に接続し、前記筐体の内部の温度が所定の温度未満である場合に、前記導電部材と前記基準電位部とを電気的に切断する切替部と、
を備える携帯端末。
【請求項２】
前記筐体の内部の温度を測定する温度センサと、
前記温度センサによって測定される温度が所定の温度以上である場合に、前記導電部材と前記基準電位部とを電気的に接続するよう前記切替部を制御し、前記温度センサによって測定される温度が所定の温度未満の場合に、前記導電部材と前記基準電位部とを電気的に切断するよう前記切替部を制御する制御部と、
を備える請求項１に記載の携帯端末。
【請求項３】
前記筐体の内部の温度を測定する温度センサと、
入力された音を音信号に変換するマイクと、
前記温度センサによって測定される温度が所定の温度以上であり、且つ、前記マイクに音が入力される場合に、前記導電部材と前記基準電位部とを電気的に接続するよう前記切替部を制御する制御部と、
を備える請求項１に記載の携帯端末。
【請求項４】
前記筐体の内部の温度を測定する温度センサと、
音信号を音に変換して前記筐体の外部に出力するレシーバと、
前記温度センサによって測定される温度が所定の温度以上であり、且つ、前記レシーバから音が出力される場合に、前記導電部材と前記基準電位部とを電気的に接続するよう前記切替部を制御する制御部と、
を備える請求項１に記載の携帯端末。
【請求項５】
前記筐体の内部の温度を測定する温度センサと、
前記筐体における所定の面に配置されるタッチパネルと、
前記温度センサによって測定される温度が所定の温度以上であり、且つ、前記タッチパネルへの接触が検出された場合に、前記導電部材と前記基準電位部とを電気的に接続するよう前記切替部を制御する制御部と、
を備える請求項１に記載の携帯端末。
【請求項６】
前記所定の面には、マイク及びレシーバの少なくとも一方が配置される
請求項５に記載の携帯端末。
【請求項７】
前記筐体へのイヤホンの接続を検出する接続検出部を備え、
前記制御部は、前記接続検出部によって前記筐体へのイヤホンの接続を検出した場合に、前記導電部材と前記基準電位部とを電気的に切断するよう前記切替部を制御する
請求項２から請求項６のいずれか１項に記載の携帯端末。
【請求項８】
前記切替部は、熱膨張係数の異なる２種類の金属材料を接合することにより形成される
請求項１に記載の携帯端末。
【請求項９】
前記導電部材と前記基準電位部と間に配置された、空隙部を有する導電部を備え、
前記切替部は、熱膨張する金属材料が収容され、一部分が前記空隙部に配置された収容部を有し、
前記金属材料は、前記筐体の内部の温度が所定の温度以上である場合に、前記収容部の内部を前記空隙部に対応する位置に移動して前記導電部材と前記基準電位部とを電気的に接続し、前記筐体の内部の温度が所定の温度未満である場合に、前記収容部の内部を前記空隙部に対応する位置とは異なる位置に移動して前記導電部材と前記基準電位部とを電気的に切断する
請求項１に記載の携帯端末。
【請求項１０】
気体が封入された膨張部を備え、
前記切替部の一端は、前記導電部材及び前記基準電位部のうちの一方に電気的に接続され、
前記膨張部は、前記筐体の内部の温度が上昇することに応じて膨張して前記切替部に押圧力を加えて前記切替部の他端を移動させ、前記筐体の温度が所定の温度以上になる場合に前記切替部の他端を前記導電部材及び前記基準電位部のうちの他方に電気的に接続させる
請求項１に記載の携帯端末。
【請求項１１】
筐体と、
前記筐体の内部に配置されるアンテナと、
前記筐体の内部に配置される導電部材と、
前記筐体の内部に配置される基準電位部と、
前記アンテナを用いて通信を行う通信部と、
前記通信部により前記アンテナを用いて通信が行われている場合に、前記導電部材と前記基準電位部とを電気的に接続し、前記通信部により前記アンテナを用いて通信が行われていない場合に、前記導電部材と前記基準電位部とを電気的に切断する切替部と、
を備える携帯端末。
【発明の詳細な説明】
【技術分野】
【０００１】
本発明は、アンテナを有する携帯端末に関する。
【背景技術】
【０００２】
近年、携帯電話機等のアンテナを有する携帯端末は、アンテナから放射される電磁波による人体への影響を考慮し、ＳＡＲ（Ｓｐｅｃｉｆｉｃ  Ａｂｓｏｒｐｔｉｏｎ  Ｒａｔｅ：人体の特定の部位に吸収される単位時間・単位質量当たりの電力）を低減することが求められている。そこで、携帯端末は、例えば、通話時に人体（特に、頭部）に近接する時のＳＡＲ対策として、接地（ＧＮＤ）に接続される導体等で形成される基準電位部をアンテナと人体との間に配置している（特許文献１参照）。
【先行技術文献】
【特許文献】
【０００３】
【特許文献１】特開２００１−２５７５２２号公報
【発明の概要】
【発明が解決しようとする課題】
【０００４】
しかしながら、特許文献１に記載された発明は、基準電位部が常にアンテナと対向するため、ＳＡＲ対策を必要としない場合、すなわち、携帯端末が人体から離れている場合であっても、アンテナの利得が低下してしまう。
【０００５】
本発明は、アンテナの利得が低下するのを低減できる携帯端末を提供することを目的とする。
【課題を解決するための手段】
【０００６】
本発明の携帯端末は、筐体と、前記筐体の内部に配置されるアンテナと、前記筐体の内部に配置される導電部材と、前記筐体の内部に配置される基準電位部と、前記アンテナを用いて通信を行う通信部と、前記筐体の内部の温度が所定の温度以上である場合に、前記導電部材と前記基準電位部とを電気的に接続し、前記筐体の内部の温度が所定の温度未満である場合に、前記導電部材と前記基準電位部とを電気的に切断する切替部と、を備えることを特徴とする。
【０００７】
また、携帯端末は、前記筐体の内部の温度を測定する温度センサと、前記温度センサによって測定される温度が所定の温度以上である場合に、前記導電部材と前記基準電位部とを電気的に接続するよう前記切替部を制御し、前記温度センサによって測定される温度が所定の温度未満の場合に、前記導電部材と前記基準電位部とを電気的に切断するよう前記切替部を制御する制御部と、を備えることが好ましい。
【０００８】
また、携帯端末は、前記筐体の内部の温度を測定する温度センサと、入力された音を音信号に変換するマイクと、前記温度センサによって測定される温度が所定の温度以上であり、且つ、前記マイクに音が入力される場合に、前記導電部材と前記基準電位部とを電気的に接続するよう前記切替部を制御する制御部と、を備えることが好ましい。
【０００９】
また、携帯端末は、前記筐体の内部の温度を測定する温度センサと、音信号を音に変換して前記筐体の外部に出力するレシーバと、前記温度センサによって測定される温度が所定の温度以上であり、且つ、前記レシーバから音が出力される場合に、前記導電部材と前記基準電位部とを電気的に接続するよう前記切替部を制御する制御部と、を備えることが好ましい。
【００１０】
また、携帯端末は、前記筐体の内部の温度を測定する温度センサと、前記筐体における所定の面に配置されるタッチパネルと、前記温度センサによって測定される温度が所定の温度以上であり、且つ、前記タッチパネルへの接触が検出された場合に、前記導電部材と前記基準電位部とを電気的に接続するよう前記切替部を制御する制御部と、を備えることが好ましい。
【００１１】
また、携帯端末は、前記所定の面には、マイク及びレシーバの少なくとも一方が配置されることが好ましい。
【００１２】
また、携帯端末は、前記筐体へのイヤホンの接続を検出する接続検出部を備え、前記制御部は、前記接続検出部によって前記筐体へのイヤホンの接続を検出した場合に、前記導電部材と前記基準電位部とを電気的に切断するよう前記切替部を制御することが好ましい。
【００１３】
また、前記切替部は、熱膨張係数の異なる２種類の金属材料を接合することにより形成されることが好ましい。
【００１４】
また、携帯端末は、前記導電部材と前記基準電位部と間に配置された、空隙部を有する導電部を備え、前記切替部は、熱膨張する金属材料が収容され、一部分が前記空隙部に配置された収容部を有し、前記金属材料は、前記筐体の内部の温度が所定の温度以上である場合に、前記収容部の内部を前記空隙部に対応する位置に移動して前記導電部材と前記基準電位部とを電気的に接続し、前記筐体の内部の温度が所定の温度未満である場合に、前記収容部の内部を前記空隙部に対応する位置とは異なる位置に移動して前記導電部材と前記基準電位部とを電気的に切断することが好ましい。
【００１５】
また、携帯端末は、気体が封入された膨張部を備え、前記切替部の一端は、前記導電部材及び前記基準電位部のうちの一方に電気的に接続され、前記膨張部は、前記筐体の内部の温度が上昇することに応じて膨張して前記切替部に押圧力を加えて前記切替部の他端を移動させ、前記筐体の温度が所定の温度以上になる場合に前記切替部の他端を前記導電部材及び前記基準電位部のうちの他方に電気的に接続させることが好ましい。
【００１６】
また、本発明の携帯端末は、筐体と、前記筐体の内部に配置されるアンテナと、前記筐体の内部に配置される導電部材と、前記筐体の内部に配置される基準電位部と、前記アンテナを用いて通信を行う通信部と、前記通信部により前記アンテナを用いて通信が行われている場合に、前記導電部材と前記基準電位部とを電気的に接続し、前記通信部により前記アンテナを用いて通信が行われていない場合に、前記導電部材と前記基準電位部とを電気的に切断する切替部と、を備えることを特徴とする。
【発明の効果】
【００１７】
本発明は、アンテナの利得が低下するのを低減できる携帯端末を提供することができる。
【図面の簡単な説明】
【００１８】
【図１】本発明の携帯端末の第１実施形態に係る携帯電話機の外観斜視図である。
【図２】第１実施形態に係る携帯電話機の機能を示す機能ブロック図である。
【図３】第１実施形態に係る携帯電話機の基準電位部と、導電部材と、切替部とを説明する第１の図である。
【図４】第１実施形態に係る携帯電話機の基準電位部と、導電部材と、切替部とを説明する第２の図である。
【図５】第２実施形態に係る携帯電話機の機能を示す機能ブロック図である。
【図６】第２実施形態に係る携帯電話機の基準電位部と、導電部材と、切替部とを説明する図である。
【図７】第３実施形態に係る携帯電話機の基準電位部と、導電部材と、切替部とを説明する図である。
【図８】第４実施形態に係る携帯電話機の基準電位部と、導電部材と、切替部とを説明する図である。
【発明を実施するための形態】
【００１９】
以下、本発明の一実施形態について説明する。まず、第１実施形態について説明する。図１は、本発明の携帯端末の第１実施形態に係る携帯電話機１の外観斜視図である。なお、図１は、いわゆる折り畳み型の携帯電話機の形態を示しているが、本発明に係る携帯端末の形態としては特にこれに限られない。例えば、携帯電話機は、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが１つの筐体に配置され、連結部を有さない形式（ストレートタイプ、フリップタイプ）でもよい。
【００２０】
携帯電話機１は、操作部側筐体部（筐体）２と、表示部側筐体部（筐体）３とを備える。操作部側筐体部２は、表面部１０（所定の面）に、操作部１１と、マイク１２とを備える。
操作部１１は、各種設定や電話帳機能やメール機能等の各種機能を作動させるための機能設定操作キー１３と、電話番号の数字やメール等の文字等を入力するための入力操作キー１４と、各種操作における決定やスクロール等を行う決定操作キー１５とから構成されている。なお、これらのキーは、表示部２１と一体に形成されたタッチパネル上に配置するようにしてもよい。
マイク１２は、携帯電話機１の使用者が通話時に発した音声を入力する。すなわち、マイク１２は、入力された音を音信号として後述の音声処理部３２ａに出力する。
【００２１】
また、表示部側筐体部３は、表面部２０（所定の面）に、表示部２１と、レシーバ２２とを備える。
表示部２１は、各種情報を表示する。なお、表示部２１は、タッチパネルであってもよい。この場合、タッチパネルは、表示パネル（図示せず）と、検出部（図示せず）とを備える。表示パネルは、液晶表示パネル又は有機ＥＬ（エレクトロルミネッセンス）表示パネル等である。検出部は、表示パネルに対する携帯電話機１のユーザの指やタッチペン等の物体の接触を検出するセンサである。検出部には、例えば、静電容量方式や抵抗膜方式等のセンサが利用可能である。
レシーバ２２は、通話の相手側の音声を出力する。すなわち、レシーバ２２は、音信号を音に変換して表示部側筐体部３の外部に出力する。
【００２２】
また、操作部側筐体部２の上端部と表示部側筐体部３の下端部とは、ヒンジ機構４を介して連結されている。また、携帯電話機１は、ヒンジ機構４を介して連結された操作部側筐体部２と表示部側筐体部３とを相対的に回転することにより、操作部側筐体部２と表示部側筐体部３とを互いに開いた状態（開放状態）にしたり、操作部側筐体部２と表示部側筐体部３とを折り畳んだ状態（折畳み状態）にしたりできる。
【００２３】
また、図２は、第１実施形態に係る携帯電話機１の機能を示す機能ブロック図である。携帯電話機１は、図２に示すように、メインアンテナ３０と、通信部３１と、音声処理部３２ａと、メモリ３３と、操作部１１と、マイク１２と、表示部２１と、レシーバ２２とを備える。さらに、携帯電話機１は、切替部３４１と、温度センサ３５と、接続検出部３６と、制御部３７ａと、を備える。なお、操作部１１と、マイク１２と、表示部２１と、レシーバ２２との説明は上述したので、以下での説明を省略する。
【００２４】
メインアンテナ（アンテナ）３０は、操作部側筐体部２及び表示部側筐体部３のいずれか一方の内部に配置される。メインアンテナ３０は、所定の使用周波数帯（例えば、８００ＭＨｚ）で基地局等の外部装置と通信を行う。メインアンテナ３０は、例えば、逆Ｆアンテナとして構成される。なお、本実施形態では、所定の使用周波数帯として、８００ＭＨｚとしたが、これ以外の周波数帯であってもよい。
【００２５】
通信部３１は、メインアンテナ３０を用いて通信を行う。通信部３１は、例えば、メインアンテナ３０によって受信した信号を復調処理し、処理後の信号を制御部３７ａに供給する。また、通信部３１は、例えば、制御部３７ａから供給された信号を変調処理し、メインアンテナ３０を介して外部装置に送信する。また、その一方で、通信部３１は、メインアンテナ３０によって受信している信号の強度を制御部３７ａに通知する。
【００２６】
音声処理部３２ａは、制御部３７ａの制御にしたがって、通信部３１から供給された信号に対して所定の音声処理を行い、処理後の信号をレシーバ２２に出力する。また、音声処理部３２ａは、制御部３７ａの制御にしたがって、マイク１２から入力された信号を処理し、処理後の信号を通信部３１に出力する。通信部３１は、音声処理部３２ａから供給された信号に所定の処理を行い、処理後の信号をメインアンテナ３０に出力する。
【００２７】
また、音声処理部３２ａは、第１音信号検知部３２１と、第２音信号検知部３２２とを備える。
第１音信号検知部３２１は、音声処理部３２ａにマイク１２から音信号が入力されたことを検知する。なお、第１音信号検知部３２１は、マイク１２により変換された音信号を検知してもよい。
第２音信号検知部３２２は、音声処理部３２ａからレシーバ２２に音信号が出力されたことを検知する。なお、第２音信号検知部３２２は、レシーバ２２に入力される音信号を検知してもよい。
【００２８】
メモリ３３は、例えば、ワーキングメモリを含み、制御部３７ａによる演算処理に利用される。また、メモリ３３には、複数のアプリケーションや当該アプリケーションが必要とする各種のテーブル等が記憶されている。また、メモリ３３は、着脱可能な外部メモリを兼ねていてもよい。
【００２９】
切替部３４１は、操作部側筐体部２及び表示部側筐体部３のうち少なくともいずれかの筐体内部の温度が所定の温度以上である場合に、導電部材４０と基準電位部４１とを電気的に接続し、操作部側筐体部２及び表示部側筐体部３のうち少なくともいずれかの筐体内部の温度が所定の温度未満である場合に、導電部材４０と基準電位部４１とを電気的に切断する。なお、切替部３４１は、導電部材４０及び基準電位部４１が配置される筐体内部の温度に基づいて、導電部材４０と基準電位部４１とを電気的に接続し又は電気的に切断することが好ましい。
【００３０】
また、切替部３４１は、通信部３１によりメインアンテナ３０を用いて通信が行われている場合に、導電部材４０と基準電位部４１とを電気的に接続し、通信部３１によりメインアンテナ３０を用いて通信が行われていない場合に、導電部材４０と基準電位部４１とを電気的に切断する。
【００３１】
導電部材４０は、操作部側筐体部２及び表示部側筐体部３のうちいずれかの内部に配置される。導電部材４０は、例えば、金属板等から構成される。
また、基準電位部４１（ＧＮＤ）は、操作部側筐体部２及び表示部側筐体部３のうちいずれかの内部に配置される。基準電位部４１は、導電部材４０が配置される筐体（操作部側筐体部２又は表示部側筐体部３）と同一の筐体に配置されることが好ましい。基準電位部４１は、例えば、筐体内部に配置される回路基板に形成されるグランドパターンや、グランドパターンに電気的に接続される金属板等から構成される。
【００３２】
ここで、図３は、第１実施形態に係る携帯電話機１の基準電位部４１と、導電部材４０と、切替部３４１とを説明する第１の図である。図４は、第１実施形態に係る携帯電話機１の基準電位部４１と、導電部材４０と、切替部３４１とを説明する第２の図である。
【００３３】
図３に示す場合では、基準電位部４１は、操作部側筐体部２と表示部側筐体部３とが開放状態になる場合には、導電部材４０と電気的に接続する。一方、基準電位部４１は、操作部側筐体部２と表示部側筐体部３とが折畳み状態になる場合には、導電部材４０との電気的な接続が切断される。導電部材４０は、基準電位部４１に対向するように配置される。導電部材４０は、基準電位部４１の一端部４１ａ側と電気的に接続される。なお、基準電位部４１の一端部４１ａは、操作部側筐体部２と表示部側筐体部３とを結合するヒンジ部から離れた側の端部である。
【００３４】
切替部３４１は、スイッチ部から構成される。切替部３４１（スイッチ部）は、後述する制御部３７ａの制御に基づいて、スイッチが接続状態にされた場合には、基準電位部４１と導電部材４０とを電気的に接続する一方、スイッチが開放状態にされた場合には、基準電位部４１と導通部とを電気的に切断する。すなわち、スイッチが接続状態になる場合には、基準電位部４１の他端部４１ｂ側は、切替部３４１（スイッチ部）を介して基準電位部４１の一端部４１ａ側及び導電部材４０と電気的に接続する。なお、基準電位部４１の他端部４１ｂは、操作部側筐体部２と表示部側筐体部３とを結合するヒンジ機構に近い側の端部である。
【００３５】
また、図４に示す場合では、導電部材４０は、メインアンテナ３０に対向して配置される。また、基準電位部４１は、導電部材４０に隣接して配置される。切替部３４１は、スイッチ部から構成される。切替部３４１（スイッチ部）は、制御部３７ａによる制御に基づいて、スイッチが接続状態にされた場合には、基準電位部４１と導電部材４０とを電気的に接続する一方、スイッチが開放状態にされた場合には、基準電位部４１と導電部材４０とを電気的に切断する。
【００３６】
図２に示すように、温度センサ３５は、操作部側筐体部２及び表示部側筐体部３のうちいずれかの内部の温度を測定する。なお、温度センサ３５は、導電部材４０及び基準電位部４１が配置される筐体の内部の温度を測定することが好ましい。温度センサ３５によって測定された温度（測定結果）は、制御部３７ａに供給される。
【００３７】
接続検出部３６は、筐体（操作部側筐体部２又は表示部側筐体部３）へのイヤホン（図示せず）の接続を検出する。操作部側筐体部２及び表示部側筐体部３のうちの一方には、イヤホンが接続される端子（図示せず）が配置される。その端子にイヤホンが接続された場合には、音声処理部３２ａは、音声処理を行った処理後の信号をイヤホンのみに出力する。接続検出部３６は、その端子にイヤホンが接続されたことを検出する。
【００３８】
制御部３７ａは、携帯電話機１の全体を制御しており、中央処理装置（ＣＰＵ）等を用いて構成される。
また、制御部３７ａは、以下の第１から第５のいずれかの制御を行う。
【００３９】
すなわち、制御部３７ａは、第１の制御として、温度センサ３５によって測定される温度が所定の温度以上である場合に、導電部材４０と基準電位部４１とを電気的に接続するよう切替部３４１を制御し、温度センサ３５によって測定される温度が所定の温度未満の場合に、導電部材４０と基準電位部４１とを電気的に切断するよう切替部３４１を制御する。
【００４０】
温度センサ３５によって検出される温度が所定の温度以上となる場合には、携帯電話機１は、通話のために人体の頭部に近づけられて、人体の熱により温められた場合が想定される。このように想定される場合には、制御部３７ａは、切替部３４１（スイッチ部）のスイッチが接続状態になるように制御する。これにより、基準電位部４１の面積が広がるため、基準電位部４１に流れていた電流の密度が変わり、結果として電磁波の放射特性が変わる。よって、ＳＡＲは低減される。
【００４１】
一方、上記の想定が当てはまらない場合、すなわち、携帯電話機１が通話のために人体の頭部に近づけられて筐体の内部が温められていないために、温度センサ３５が配置される筐体内部の温度が所定の温度未満となる場合には、制御部３７ａは、切替部３４１（スイッチ部）のスイッチが開放状態になるように制御する。携帯電話機１が人体に近づけられていない場合には、メインアンテナ３０から放射される電磁波による人体への影響は小さい。このため、制御部３７ａは、メインアンテナ３０から放射される電磁波の放射特性が低下することがないよう、基準電位部４１と導電部材４０とが電気的に接続されないように制御する。
【００４２】
また、制御部３７ａは、第２の制御として、温度センサ３５によって測定される温度が所定の温度以上であり、且つ、第１音信号検知部３２１によって音信号が検知された場合に、導電部材４０と基準電位部４１とを電気的に接続するよう切替部３４１を制御する。
【００４３】
上述したように、温度センサ３５によって検出される温度が所定の温度以上となる場合には、携帯電話機１は、通話のために人体の頭部に近づけられて、人体の熱により温められた場合が想定される。さらに、第１音信号検知部３２１によって音信号が検知された場合には、携帯電話機１は、通話のために（通信部３１によりメインアンテナ３０を用いて通信が行われているために）人体の頭部に近づけられている場合が想定される。このように想定される場合には、制御部３７ａは、切替部３４１（スイッチ部）のスイッチが接続状態になるように制御する。これにより、メインアンテナ３０から見た基準電位部４１の面積が変化するため、基準電位部４１に流れていた電流の密度が変わり、結果としてメインアンテナ３０の電磁波の放射特性が変わる。よって、ＳＡＲは低減される。
【００４４】
一方、制御部３７ａは、温度センサ３５によって測定される温度が所定の温度未満の場合、又は、第１音信号検知部３２１によって音信号が検知されない場合、すなわち、通信部３１によりメインアンテナ３０を用いて通信が行われていない場合に、導電部材４０と基準電位部４１とを電気的に切断するよう切替部３４１を制御する。
【００４５】
また、制御部３７ａは、第３の制御として、温度センサ３５によって測定される温度が所定の温度以上であり、且つ、第２音信号検知部３２２によって音信号が検知された場合に、導電部材４０と基準電位部４１とを電気的に接続するよう切替部３４１を制御する。
【００４６】
上述したように、温度センサ３５によって検出される温度が所定の温度以上となる場合には、携帯電話機１は、通話のために人体の頭部に近づけられて、人体の熱により温められた場合が想定される。さらに、第２音信号検知部３２２によって音信号が検知された場合には、携帯電話機１は、通話のために（通信部３１によりメインアンテナ３０を用いて通信が行われているために）人体の頭部に近づけられている場合が想定される。このように想定される場合には、制御部３７ａは、切替部３４１（スイッチ部）のスイッチが接続状態になるように制御する。これにより、メインアンテナ３０から見た基準電位部４１の面積が変化するため、基準電位部４１に流れていた電流の密度が変わり、結果としてメインアンテナ３０の電磁波の放射特性が変わる。よって、ＳＡＲは低減される。
【００４７】
一方、制御部３７ａは、温度センサ３５によって測定される温度が所定の温度未満の場合、又は、第２音信号検知部３２２によって音信号が検知されない場合、すなわち、通信部３１によりメインアンテナ３０を用いて通信が行われていない場合に、導電部材４０と基準電位部４１とを電気的に切断するよう切替部３４１を制御する。
【００４８】
また、制御部３７ａは、第４の制御として、温度センサ３５によって測定される温度が所定の温度以上であり、且つ、タッチパネルへの接触が検出された場合に、導電部材４０と基準電位部４１とを電気的に接続するよう切替部３４１を制御する。
【００４９】
上述したように、温度センサ３５によって検出される温度が所定の温度以上となる場合には、携帯電話機１は、通話のために人体の頭部に近づけられて、人体の熱により温められた場合が想定される。さらに、タッチパネルを構成する上述した検出部によって物体の接触が検出される場合には、携帯電話機１は、通話のために（通信部３１によりメインアンテナ３０を用いて通信が行われているために）人体の頭部に近づけられて、タッチパネルと頭部とが接触している場合が想定される。このように想定される場合には、制御部３７ａは、切替部３４１（スイッチ部）のスイッチが接続状態になるように制御する。これにより、メインアンテナ３０から見た基準電位部４１の面積が変化するため、基準電位部４１に流れていた電流の密度が変わり、結果として電磁波の放射特性が変わる。よって、ＳＡＲは低減される。
【００５０】
一方、制御部３７ａは、温度センサ３５によって測定される温度が所定の温度未満の場合、又は、タッチパネルへの接触が検出されない場合、すなわち、通信部３１によりメインアンテナ３０を用いて通信が行われていない場合に、導電部材４０と基準電位部４１とを電気的に切断するよう切替部３４１を制御する。
【００５１】
また、制御部３７ａは、第５の制御として、接続検出部３６によって筐体へのイヤホンの接続を検出した場合に、導電部材４０と基準電位部４１とを電気的に切断するよう切替部３４１を制御する。接続検出部３６によってイヤホンの接続が検出される場合には、携帯電話機１は、イヤホンを使用して通話が行われるために、人体から離されている場合が想定される。このように想定される場合には、制御部３７ａは、切替部３４１（スイッチ部）のスイッチが開放状態になるように制御する。これにより、基準電位部４１によってメインアンテナ３０から放射される電磁波の放射特性が低下することを防ぐことができる。
【００５２】
なお、制御部３７ａは、第２から第５のいずれかの制御を組み合わることが可能である。例えば、制御部３７ａは、温度センサ３５によって測定される温度が所定の温度以上であり、且つ、第１音信号検知部３２１によって音信号が検知され、且つ、第２音信号検知部３２２によって音信号が検知された場合に、導電部材４０と基準電位部４１とを電気的に接続するよう切替部３４１を制御することが可能である。また、例えば、制御部３７ａは、温度センサ３５によって測定される温度が所定の温度以上であり、且つ、第１音信号検知部３２１によって音信号が検知され、且つ、第２音信号検知部３２２によって音信号が検知され、且つ、タッチパネルへの接触が検出された場合に、導電部材４０と基準電位部４１とを電気的に接続するよう切替部３４１を制御することも可能である。
【００５３】
このような携帯電話機１は、以下の効果を奏する。
すなわち、携帯電話機１は、操作部側筐体部２及び表示部側筐体部３のうちいずれかの内部の温度が所定の温度以上である場合に、切替部３４１によって導電部材４０と基準電位部４１とを電気的に接続し、操作部側筐体部２及び表示部側筐体部３のうちいずれかの内部の温度が所定の温度未満である場合に、切替部３４１によって導電部材４０と基準電位部４１とを電気的に切断する。これにより、携帯電話機１は、人体に近づけられて筐体内部の温度が所定の温度以上になった場合には導電部材４０と基準電位部４１とを電気的に接続することにより、メインアンテナ３０から見た基準電位部４１の面積を変化させて、基準電位部４１に流れる電流の密度を変えることができる。したがって、携帯電話機１では、電磁波の放射特性が変わるため、ＳＡＲを低減することができる。一方、携帯電話機１は、人体に近づけられずに筐体内部の温度が所定の温度未満になる場合には、導電部材４０と基準電位部４１とを電気的に切断するので、基準電位部４１に流れる電流の密度が変わることがない。よって、携帯電話機１は、メインアンテナ３０の利得が劣化することを低減することができる。
【００５４】
また、携帯電話機１は、温度センサ３５によって測定される温度が所定の温度以上である場合に、制御部３７ａによって導電部材４０と基準電位部４１とを電気的に接続するよう切替部３４１を制御し、温度センサ３５によって測定される温度が所定の温度未満の場合に、制御部３７ａによって導電部材４０と基準電位部４１とを電気的に切断するよう切替部３４１を制御する。これにより、携帯電話機１は、人体に近づけられて温度が所定の温度以上になった場合には、導電部材４０と基準電位部４１とを電気的に接続するよう切替部３４１を制御して、メインアンテナ３０から見た基準電位部４１の面積を変化させるので、基準電位部４１に流れる電流の密度を変えることができる。したがって、携帯電話機１では、電磁波の放射特性が変わるため、ＳＡＲを低減することができる。一方、携帯電話機１は、人体に近づけられずに温度が所定の温度未満の場合には、導電部材４０と基準電位部４１とを電気的に切断するよう切替部３４１を制御するので、基準電位部４１に流れる電流の密度が変わることがない。よって、携帯電話機１は、メインアンテナ３０の利得が劣化することを低減することができる。また、携帯電話機１は、温度センサ３５を利用することにより、温度センサ３５が配置される筐体内部の温度を測定するので、所定の温度に到達したか否かを正確に判断することができる。
【００５５】
また、携帯電話機１は、温度センサ３５によって測定される温度が所定の温度以上であり、且つ、第１音信号検知部３２１によって音信号が検知された場合に、制御部３７ａによって導電部材４０と基準電位部４１とを電気的に接続するよう切替部３４１を制御する。これにより、携帯電話機１は、温度センサ３５によって温度の監視を行うと共に、第１音信号検知部３２１によって音信号の監視を行い、温度が所定の温度以上であり且つマイク１２から音信号が出力される場合には、人体に近づけられていると判断するので、人体に近づけられているか否か正確な判断を行うことができる。
【００５６】
また、携帯電話機１は、温度センサ３５によって測定される温度が所定の温度以上であり、且つ、第２音信号検知部３２２によって音信号が検知された場合に、制御部３７ａによって導電部材４０と基準電位部４１とを電気的に接続するよう切替部３４１を制御する。これにより、携帯電話機１は、温度センサ３５によって温度の監視を行うと共に、第２音信号検知部３２２によって音信号の監視を行い、温度が所定の温度以上であり且つレシーバ２２に音信号が出力される場合には、人体に近づけられていると判断するので、人体に近づけられているか否か正確な判断を行うことができる。
【００５７】
また、携帯電話機１は、温度センサ３５によって測定される温度が所定の温度以上であり、且つ、タッチパネルへの接触が検出された場合に、制御部３７ａによって導電部材４０と基準電位部４１とを電気的に接続するよう切替部３４１を制御する。これにより、携帯電話機１は、温度センサ３５によって温度の監視を行うと共に、タッチパネルによって物体が接触しているか否かの監視を行い、温度が所定の温度以上であり且つタッチパネルに物体が接触している場合には、人体に近づけられていると判断するので、人体に近づけられているか否か正確な判断を行うことができる。
【００５８】
また、携帯電話機１は、接続検出部３６によってイヤホンの接続が検出された場合に、制御部３７ａによって導電部材４０と基準電位部４１とを電気的に切断するよう切替部３４１を制御する。これにより、携帯電話機１は、接続検出部３６によってイヤホンの接続が検出されない場合には、人体から離れた位置に配置されていると判断するので、メインアンテナ３０の利得が劣化することを低減することができる。
【００５９】
次に、第２実施形態について説明する。図５は、第２実施形態に係る携帯電話機１の機能を示す機能ブロック図である。図６は、第２実施形態に係る携帯電話機１の基準電位部４１と、導電部材４０と、切替部３４２とを説明する図である。
【００６０】
本発明の携帯端末の第２実施形態に係る携帯電話機１は、第１実施形態の携帯電話機１と同様の外観を有する。また、第２実施形態に係る携帯電話機１は、図５に示すように、メインアンテナ３０と、通信部３１と、音声処理部３２ｂと、メモリ３３と、操作部１１と、マイク１２と、表示部２１と、レシーバ２２と、制御部３７ｂとを備える。メインアンテナ３０と、通信部３１と、メモリ３３と、操作部１１と、マイク１２と、表示部２１と、レシーバ２２とは、第１の実施形態で説明したものとそれぞれ同様の構成である。
【００６１】
音声処理部３２ｂは、制御部３７ｂの制御にしたがって、通信部３１から供給された信号に対して所定の音声処理を行い、処理後の信号をレシーバ２２に出力する。レシーバ２２は、音声処理部３２ｂから供給された信号を外部に出力する。また、音声処理部３２ｂは、制御部３７ｂの制御にしたがって、マイク１２から入力された信号を処理し、処理後の信号を通信部３１に出力する。通信部３１は、音声処理部３２ｂから供給された信号に所定の処理を行い、処理後の信号をメインアンテナ３０に出力する。
制御部３７ｂは、携帯電話機１の全体を制御する。
【００６２】
このような携帯電話機１には、基準電位部４１と、導電部材４０と、切替部３４２とが筐体（操作部側筐体部２又は表示部側筐体部３）の内部に配置される。
図６に示す場合では、基準電位部４１は、操作部側筐体部２と表示部側筐体部３とが開放状態になる場合には、導電部材４０と電気的に接続される。一方、基準電位部４１は、操作部側筐体部２と表示部側筐体部３とが折畳み状態になる場合には、導電部材４０との電気的な接続が切断される。このような基準電位部４１は、例えば、筐体内部に配置される回路基板に形成されるグランドパターンや、グランドパターンに電気的に接続される金属板等から構成される。
導電部材４０は、基準電位部４１に対向するように配置される。導電部材４０は、金属板等から構成される。
【００６３】
切替部３４２は、その切替部３４２が配置される筐体（操作部側筐体部２又は表示部側筐体部３）の内部の温度が所定の温度以上である場合に、導電部材４０と基準電位部４１とを電気的に接続し、切替部３４２が配置される筐体（操作部側筐体部２又は表示部側筐体部３）の内部の温度が所定の温度未満である場合に、導電部材４０と基準電位部４１とを電気的に切断する。
【００６４】
具体的には、切替部３４２は、熱膨張係数の異なる２種類の金属材料（３４２ａ，３４２ｂ）を接合することにより形成される。切替部３４２は、一端側において導電部材４０に固着される。切替部３４２は、携帯電話機１が人体に近づけられて人体の熱により筐体内部が温められて、その筐体内部の温度が所定の温度以上になる場合には、２種類の金属材料の熱膨張係数の違いにより、湾曲が大きくなって、他端側が基準電位部４１に接触する（図６において実線で示す場合）。これにより、導電部材４０と基準電位部４１とは、切替部３４２を介して電気的に接続する。
【００６５】
一方、切替部３４２は、携帯電話機１が人体から離されて人体の熱により筐体内部が温められず、その筐体内部の温度が所定の温度未満になる場合には、２種類の金属材料の熱膨張係数の違いにより、湾曲が小さくなって、他端側が基準電位部４１から離れる（図６において二点差線で示す場合）。これにより、導電部材４０と基準電位部４１とは、電気的に切断される。
【００６６】
このような携帯電話機１は、熱膨張係数の異なる２種類の金属材料を接合することにより切替部３４２を形成したので、携帯電話機１が人体に近づけられた場合には、導電部材４０と基準電位部４１とが電気的に接続される。この場合、携帯電話機１は、メインアンテナ３０から見た基準電位部４１の面積が変化して、基準電位部４１に流れる電流の密度が変わる。よって、携帯電話機１は、電磁波の放射特性が変わるため、ＳＡＲを低減することができる。
【００６７】
次に、第３実施形態について説明する。図７は、第３実施形態に係る携帯電話機１の基準電位部４１と、導電部材４０と、切替部３４３とを説明する図である。
本発明の携帯端末の第３実施形態に係る携帯電話機１は、第１実施形態の携帯電話機１と同様の外観を有する。また、第３実施形態に係る携帯電話機１は、第２実施形態の携帯電話機１と同様の機能ブロックを有する。さらに、第３実施形態に係る携帯電話機１は、第２実施形態と同様の基準電位部４１及び導電部材４０を有する。
【００６８】
図７に示すように、基準電位部４１と導電部材４０との間には、空隙部を有する導電部４２が配置される。空隙部は、導電部材４０に接合される一方の導電部４２と、基準電位部４１に接合される他方の導電部４２との間に形成される。その空隙部には、切替部３４３が配置される。切替部３４３は、一部分が空隙部に配置された収容部４３を有する。収容部４３は、導電部４２と接合する部分４３ａが金属等の導電性材料により形成され、導電部４２と接続する部分を除く他の部分４３ｂが非導電性材料により形成される。収容部４３には、熱膨張する金属材料４４が収容される。その金属材料４４は、例えば、水銀等である。
【００６９】
金属材料４４は、携帯電話機１が人体に近づけられることにより人体の熱により筐体内部が温められて、その筐体内部の温度が所定の温度以上になる場合には、収容部４３の内部を空隙部に対応する位置に移動して導電部材４０と基準電位部４１とを電気的に接続する（図７（Ｂ）参照）。一方、金属材料４４は、携帯電話機１が人体から離されることにより人体の熱により筐体内部が温められず、その筐体内部の温度が所定の温度未満になる場合には、収容部４３の内部を空隙部に対応する位置とは異なる位置に移動して導電部材４０と基準電位部４１とを電気的に切断する（図７（Ａ）参照）。
【００７０】
このような携帯電話機１は、熱膨張する金属材料４４が収容された収容部４３により切替部３４３を形成したので、携帯電話機１が人体に近づけられた場合には、導電部材４０と基準電位部４１とが電気的に接続される。この場合、携帯電話機１は、メインアンテナ３０から見た基準電位部４１の面積が変化するため、基準電位部４１に流れる電流の密度が変わる。よって、携帯電話機１は、電磁波の放射特性が変わるため、ＳＡＲを低減することができる。
【００７１】
次に、第４実施形態について説明する。図８は、第４実施形態に係る携帯電話機１の基準電位部４１と、導電部材４０と、切替部３４４とを説明する図である。
本発明の携帯端末の第４実施形態に係る携帯電話機１は、第１実施形態の携帯電話機１と同様の外観を有する。また、第４実施形態に係る携帯電話機１は、第２実施形態の携帯電話機１と同様の機能ブロックを有する。さらに、第４実施形態に係る携帯電話機１は、第２実施形態と同様の基準電位部４１及び導電部材４０を有する。
【００７２】
図８に示すように、切替部３４４は、例えば金属等の、撓むことが可能な導電性材料から形成される。その切替部３４４の一端は、導電部材４０に固着される。また、切替部３４４の他端は、撓み（湾曲）が大きくなった場合には、基準電位部４１に接触するようになっている。
【００７３】
また、切替部３４４が配置される筐体（操作部側筐体部２又は表示部側筐体部３（図８に示す場合では、表示部側筐体部３））には、気体が封入された膨張部４６が設けられている。気体としては、例えばヘリウム等が挙げられる。膨張部４６は、携帯電話機１が人体の頭部等に近づけられた場合には、人体の熱により温められて膨張するようになっている。膨張部４６は、膨張した場合に、切替部３４４を図８における下方に押し下げる押圧力を切替部３４４に加える。
【００７４】
携帯電話機１が人体から離されることによって人体の熱により筐体内部が温められない場合には、図８（Ａ）に示すように、膨張部４６は収縮する。この場合、切替部３４４は、膨張部４６によって押圧力が加えられず、他方の端部が基準電位部４１から離れる。これにより、切替部３４４は、導電部材４０と基準電位部４１とを電気的に切断する。
【００７５】
一方、携帯電話機１が人体に近づけられて人体の熱により筐体内部が温められた場合には、図８（Ｂ）に示すように、膨張部４６は膨張する。この場合、切替部３４４は、膨張する膨張部４６によって押圧力が加えられて、他端が基準電位部４１側へ移動する。さらに筐体内部が温められて筐体内部の温度が所定の温度以上になる場合には、切替部３４４は、さらに膨張する膨張部４６によって押圧力が加えられて、他端が基準電位部４１に接触する。これにより、切替部３４４は、導電部材４０と基準電位部４１とを電気的に接続する。
【００７６】
このような携帯電話機１は、熱によって膨張する膨張部４６によって切替部３４４に押圧力を加えて、切替部３４４の他端を移動させるようにしたので、携帯電話機１が人体に近づけられた場合には、導電部材４０と基準電位部４１とが電気的に接続される。この場合、携帯電話機１は、メインアンテナ３０から見た基準電位部４１の面積を変化させて、基準電位部４１に流れる電流の密度が変わる。よって、携帯電話機１は、電磁波の放射特性が変わるため、ＳＡＲを低減することができる。
【００７７】
第２実施形態、第３実施形態及び第４実施形態においても、筐体内部の温度が所定の温度より低くなる場合、すなわち、人体から離れていると考えられる場合には、導電部材４０と基準電位部４１とが電気的に切断されるので、基準電位部４１によりメインアンテナ３０の利得が劣化することを低減できる。
【００７８】
なお、図８に示す場合には、切替部３４４の一端が導電部材４０に固着され、膨張部４６の膨張に伴って切替部３４４の他端が基準電位部４１に接触する構成であるが、本発明は、この構成に限定されることはない。すなわち、切替部３４４の一端が基準電位部４１に固着され、膨張部４６の膨張に伴って切替部３４４の他端が導電部材４０に接触する構成であってもよい。
【符号の説明】
【００７９】
１  携帯電話機（携帯端末）
１２  マイク
２１  表示部
２２  レシーバ
３０  メインアンテナ（アンテナ）
３１  通信部
３５  温度センサ
３６  接続検出部
３７ａ，３７ｂ  制御部
４０  導電部材
４１  基準電位部
４２  導電部
４３  収容部
４４  金属材料
３２１  第１音信号検知部
３２２  第２音信号検知部
３４１〜３４４  切替部
【図１】
2012074870.tif 000003
【図２】
2012074870.tif 000004
【図３】
2012074870.tif 000005
【図４】
2012074870.tif 000006
【図５】
2012074870.tif 000007
【図６】
2012074870.tif 000008
【図７】
2012074870.tif 000009
【図８】
2012074870.tif 000010